(57)【要約】【課題】  大電流が流れても電極板の電流密度が不均一にならず、蓄放電装置の性能劣化をもたらす恐れのない蓄放電装置の低内部抵抗接続構造を得る。【解決手段】  互いに極性の異なる同一形状の、異なる軸方向における異なるサイド幅を有する楕円形、或いは多角形の電極板を隔離体を挟んで、且つ互いに所定角度だけ回転させた状態で層状に順次配置するとともに、層方向視において同一極性の電極板はその全てが重なる一方、他極性の電極板に対しては重ならない共通の辺部または頂部を有するように前記層状に順次配置した蓄放電装置の低内部抵抗の接続構造において、前記同一極性の、他極性の電極板に対して重ならない辺部または頂部に導電端子を設け、同一極性の電極板同士を並列接続して、電流の出入力端子を形成する。【選択図】図７６
2010267977.tif 000002
【特許請求の範囲】
【請求項１】
互いに極性の異なる同一形状の、異なる軸方向における異なるサイド幅を有する楕円形、或いは多角形の電極板を隔離体を挟んで、且つ互いに所定角度だけ回転させた状態で層状に順次配置するとともに、層方向視において同一極性の電極板はその全てが重なる一方、他極性の電極板に対しては重ならない共通の辺部または頂部を有するように前記層状に順次配置した蓄放電装置の低内部抵抗の接続構造において、
前記同一極性の、他極性の電極板に対して重ならない辺部または頂部に導電端子を設け、同一極性の電極板同士を並列接続して、電流の出入力端子を形成したことを特徴とする蓄放電装置の低内部抵抗の接続構造。
【請求項２】
請求項１に記載の蓄放電装置の低内部抵抗の接続構造において、
前記所定角度が９０度である楕円形と長手方向の頂部には、少なくとも一つの電極端子が設けられることを特徴とする蓄放電装置の低内部抵抗の接続構造。
【請求項３】
請求項１に記載の蓄放電装置の低内部抵抗の接続構造において、
前記多角形が長方形である場合において、前記所定角度は９０度であり、各電極板の前記辺部には、少なくとも二つの電極端子が設けられることを特徴とする蓄放電装置の低内部抵抗の接続構造。
【請求項４】
請求項１に記載の蓄放電装置の低内部抵抗の接続構造において、
前記多角形が正方形である場合において、前記所定角度は４５度であり、各電極板の前記頂部には、少なくとも一つの電極端子が設けられていることを特徴とする蓄放電装置の低内部抵抗の接続構造。
【請求項５】
請求項１に記載の蓄放電装置の低内部抵抗の接続構造において、
前記多角形が三角形である場合において、前記所定角度は６０度であり、各電極板の前記頂部には、少なくとも一つの電極端子が設けられていることを特徴とする蓄放電装置の低内部抵抗の接続構造。
【請求項６】
請求項１に記載の蓄放電装置の低内部抵抗の接続構造において、
前記電極端子は、前記電極板に孔が設けられ、これらの孔を正極導電棒または負極導電棒を貫通して形成されることを特徴とする蓄放電装置の低内部抵抗の接続構造。
【請求項７】
請求項６に記載の蓄放電装置の低内部抵抗の接続構造において、
前記正極導電棒または負極導電棒には、冷却用の流体が流されることを特徴とする蓄放電装置の低内部抵抗の接続構造。
【発明の詳細な説明】
【技術分野】
【０００１】
本発明は、コンデンサの蓄放電装置における端子構造に関するものである。
【背景技術】
【０００２】
従来の一次、又は二次バッテリ又はコンデンサの蓄放電装置は、通常各電極板の一端に設けた合流端子を入出力電流の合流点、又はその他電極間の直列又は並列接続点としている。
【発明の概要】
【発明が解決しようとする課題】
【０００３】
しかし、かかる従来の構造においては、電極板の片側にのみ電流が流れる為、隣近の合流端子の電極板区域と、比較的離れた合流端子の区域では、大電流の入出力時、電極板の電流密度が不均一になり、蓄放電装置の性能劣化をもたらすという問題点がある。
【０００４】
尚、蓄放電装置の各電極の連結方式は、一般に同極性板を並列接続し、異極性板を直列して、その合流端子は溶接又は圧接で相互連結或いは導電端子と連結するが、片側の一電流回路に片寄る為、内部抵抗が大きい。
【０００５】
そこで、本発明は、大電流の入出力時でも電極板の電流密度が不均一になることはなく、蓄放電装置の性能を向上させることができる蓄放電装置の低内部抵抗接続構造を得ることを目的としている。
【課題を解決するための手段】
【０００６】
上述した課題を解決するため、本発明は、互いに極性の異なる同一形状の、異なる軸方向における異なるサイド幅を有する楕円形、或いは多角形の電極板を隔離体を挟んで、且つ互いに所定角度だけ回転させた状態で層状に順次配置するとともに、層方向視において同一極性の電極板はその全てが重なる一方、他極性の電極板に対しては重ならない共通の辺部または頂部を有するように前記層状に順次配置した蓄放電装置の低内部抵抗の接続構造において、前記同一極性の、他極性の電極板に対して重ならない辺部または頂部に導電端子を設け、同一極性の電極板同士を並列接続して、電流の出入力端子を形成したことを特徴とする。
【０００７】
また、本発明の蓄放電装置の低内部抵抗の接続構造において、前記所定角度が９０度である楕円形と長手方向の頂部には、少なくとも一つの電極端子が設けられることを特徴とする。
また、本発明の蓄放電装置の低内部抵抗の接続構造において、前記多角形が長方形である場合において、前記所定角度は９０度であり、各電極板の前記辺部には、少なくとも二つの電極端子が設けられることを特徴とする。
【０００８】
また、本発明の蓄放電装置の低内部抵抗の接続構造において、前記多角形が正方形である場合において、前記所定角度は４５度であり、各電極板の前記頂部には、少なくとも一つの電極端子が設けられていることを特徴とする。
【０００９】
また、本発明の放電装置の低内部抵抗の接続構造において、前記多角形が三角形である場合において、前記所定角度は６０度であり、各電極板の前記頂部には、少なくとも一つの電極端子が設けられていることを特徴とする。
【００１０】
また、本発明の蓄放電装置の低内部抵抗の接続構造において、前記電極端子は、前記電極板に孔が設けられ、これらの孔を正極導電棒または負極導電棒を貫通して形成されることを特徴とする。
【００１１】
また、本発明の蓄放電装置の低内部抵抗の接続構造において、前記正極導電棒または負極導電棒には、冷却用の流体が流されることを特徴とする。
【発明の効果】
【００１２】
本発明によれば、大電流の入出力時でも電極板の電流密度が不均一になることはなく、蓄放電装置の性能を向上させることができる蓄放電装置の低内部抵抗接続構造を得ることができるという効果を奏する。
【図面の簡単な説明】
【００１３】
【図１】本発明の両側に各々導電貫通孔及び隔離空間を設けた電極板で構成された応用例の立体分解図である。
【図２】図１の前視図（正面図）である。
【図３】図２のＡ−Ａ′断面図である。
【図４】図２のＢ−Ｂ′断面図である。
【図５】本発明の両側に各々一個の導電貫通孔及び一個の隔離貫通孔の電極板で構成された応用例の立体分解図である。
【図６】図５の正面図である。
【図７】図６のＡ−Ａ′断面図である。
【図８】図６のＢ−Ｂ′断面図である。
【図９】本発明の両側に各々二個並列の導電貫通孔及び隔離切口及び空間を設けた電極で構成された応用例の立体分解図である。
【図１０】図９の正面図である。
【図１１】図１０のＡ−Ａ′断面図である。
【図１２】図１０のＢ−Ｂ′断面図である。
【図１３】本発明の両側に各々二個並列に導電貫通孔及び二個の隔離貫通孔を設けた電極板で構成された応用例の立体分解図である。
【図１４】図１３の正面図である。
【図１５】図１４のＡ−Ａ′断面図である。
【図１６】図１４のＢ−Ｂ′断面図である。
【図１７】本発明の両側に各々交互に二個の導電貫通孔と二個の隔離切欠と空間を設けた電極板で構成された応用例の立体分解図である。
【図１８】図１７の正面図である。
【図１９】図１８のＡ−Ａ′断面図である。
【図２０】図１８のＢ−Ｂ′断面図である。
【図２１】本発明の両側に各々交互に二個の導電貫通孔と二個の隔離貫通孔を設けた電極板で構成された応用例の立体分解図である。
【図２２】図２１の正面図である。
【図２３】図２２のＡ−Ａ′断面図である。
【図２４】図２２のＢ−Ｂ′断面図である。
【図２５】本発明の三側に各々導電貫通孔及び隔離空間の三角形電極板で構成された応用例の立体分解図である。
【図２６】図２５の正面図である。
【図２７】図２６のＡ−Ａ′断面図である。
【図２８】図２６のＢ−Ｂ′断面図である。
【図２９】本発明の三側に各々一個の導電貫通孔と一個の隔離貫通孔を設けた三角形電極板で構成された応用例の立体分解図である。
【図３０】図２９の正面図である。
【図３１】図３０のＡ−Ａ′断面図である。
【図３２】図３０のＢ−Ｂ′断面図である。
【図３３】本発明の三側に各々二個並列の導電貫通孔と隔離貫通孔を設けた三角形電板で構成された応用例の立体分解図である。
【図３４】図３３の正面図である。
【図３５】図３４のＡ−Ａ′断面図である。
【図３６】図３４のＢ−Ｂ′断面図である。
【図３７】本発明の三側に各々二個並列の導電貫通孔と隔離貫通孔を設けた電極板で構成された応用例の立体分解図である。
【図３８】図３７の正面図である。
【図３９】図３８のＡ−Ａ′断面図である。
【図４０】図３８のＢ−Ｂ′断面図である。
【図４１】本発明の三側に各々交互に二個の導電貫通孔と隔離貫通孔を設けた三角形の電極板で構成された応用例の立体分解図である。
【図４２】図４１の正面図である。
【図４３】図４２のＡ−Ａ′断面図である。
【図４４】図４２のＢ−Ｂ′断面図である。
【図４５】本発明の四側に各々導電貫通孔と隔離貫通孔を設けた四角形の電極板で構成された応用例の立体分解図である。
【図４６】図４５の正面図である。
【図４７】図４６のＡ−Ａ′断面図である。
【図４８】図４６のＢ−Ｂ′断面図である。
【図４９】本発明の四側に各々一個の導電貫通孔と隔離貫通孔を設けた四角形電極板で構成された応用例の立体分解図である。
【図５０】図４９の正面図である。
【図５１】図５０のＡ−Ａ′断面図である。
【図５２】図５０のＢ−Ｂ′断面図である。
【図５３】本発明の円形又は近似円形の異極性極板に、各々交互に一個の導電貫通孔と隔離切欠を設けた電極板で構成された応用例の立体構造図である。
【図５４】図５３の正面図である。
【図５５】図５４のＡ−Ａ′断面図である。
【図５６】本発明の異極性極板の中間区域付近に、交互に一個の導電貫通孔と隔離貫通孔を有する円形又は近似円形電極で構成された応用例の立体分解図である。
【図５７】図５６の正面図である。
【図５８】図５７のＡ−Ａ′断面図である。
【図５９】外側から各々交互に二個の並列の導電貫通孔及び隔離空間を設けた円形又は近似円形電極板で構成された応用例の立体断面図である。
【図６０】図５９の正面図である。
【図６１】図６０のＡ−Ａ′断面図である。
【図６２】本発明の異極性電極板の中間付近に、交互に二個並列の導電貫通孔と隔離貫通孔を設けた円形又は近似円形電極板で構成された実用例の立体断面図である。
【図６３】図６２の正面図である。
【図６４】図６３のＡ−Ａ′断面図である。
【図６５】本発明の外側に交互に二個の導電貫通孔と隔離切欠を設けた円形又は近似円形で構成された応用例の立体分解図である。
【図６６】図６５の正面図である。
【図６７】図６６のＡ−Ａ′断面図である。
【図６８】図６６のＢ−Ｂ′断面図である。
【図６９】本発明の異極性電極板の中間区域付近に各々交互に二個の導電貫通孔及び隔離貫通孔を設けた円形又は近似円形電極板で構成された応用例の立体分解図である。
【図７０】図６９の正面図である。
【図７１】図７０のＡ−Ａ′断面図である。
【図７２】図７０のＢ−Ｂ′断面図である。
【図７３】本発明の二つの対称外側に各々一個の導電貫通孔を設けた楕円形又は近似楕円形電極板で構成された応用例の立体分解図である。
【図７４】図７３の正面図である。
【図７５】図７４のＡ−Ａ′断面図である。
【図７６】本発明の二つの対称外側に各々一個の導電貫通孔を設けた長方形又は近似長方形電極板で構成された応用例の立体分解図である。
【図７７】図７６の正面図である。
【図７８】図７７のＡ−Ａ′断面図である。
【図７９】本発明の二つの対称外側に各々二個並列の導電貫通孔を設けた三角形又は近似三角形電極板で構成された応用例の立体分解図である。
【図８０】図７９の前視図である。
【図８１】図８０のＡ−Ａ′断面図である。
【図８２】本発明の三角形の外側に各々一個の導電貫通孔の三角形又は近似三角形電極板で構成された応用例の立体分解図である。
【図８３】図８２の正面図である。
【図８４】図８３のＡ−Ａ′断面図である。
【図８５】本発明の対称四角形の外側に各々一個の導電貫通孔を設けた対称四角形又は近似対称四角形電極板で構成された応用例の立体分解図である。
【図８６】図８５の正面図である。
【図８７】図８６のＡ−Ａ′断面図である。
【図８８】本発明の円形又は近似円形外側に各々交互に導電貫通孔及び隔離貫通孔を設けた電極板で構成された応用例の立体分解図である。
【図８９】図８８の正面図である。
【図９０】図８９のＡ−Ａ′断面図である。
【図９１】図８９のＢ−Ｂ′断面図である。
【図９２】本発明の異極性電極板の中間付近の区域に一個の導電貫通孔及び隔離貫通孔を設けた電極板で構成された応用例の立体分解図である。
【図９３】図９２の正面図である。
【図９４】図９３のＡ−Ａ′断面図である。
【図９５】本発明の異極性極板の中間付近区域に二個の導電貫通孔と隔離貫通孔を設けた電極板で構成された応用例の立体分解図である。
【図９６】図９５の正面図である。
【図９７】図９６のＡ−Ａ′断面図である。
【図９８】本発明の異極性極板の中間付近区域に、相互対称に交互に分布した二個の導電貫通孔と隔離貫通孔を設けた電極板で構成された応用例の立体分解図である。
【図９９】図９８の正面図である。
【図１００】図９９のＡ−Ａ′断面図である。
【図１０１】本発明の異極性電極板の中間区域付近に、相互に対称に交互分布した三個の導電貫通孔及び隔離貫通孔を設けた電極板で構成された応用例の立体分解図である。
【図１０２】図１０１の正面図である。
【図１０３】図１０２のＡ−Ａ′断面図である。
【図１０４】図１０２のＢ−Ｂ′断面図である。
【図１０５】本発明の異極性電極板の中間区域付近に六角形を成す対称に三個導電貫通孔と隔離貫通孔を交互に配置した電極板で構成された応用例の立体分解図である。
【図１０６】図１０６の正面図である。
【図１０７】図１０６のＡ−Ａ′断面図である。
【図１０８】本発明の異極性電極板の中間区域付近に３個の導電貫通孔及び隔離貫通孔を設けた電極板で構成された応用例の立体分解図である。
【図１０９】図１０８の正面図である。
【図１１０】図１０９のＡ−Ａ′断面図である。
【図１１１】本発明の交互に対称する内外環に４個の導電貫通孔と隔離貫通孔を交互に設けた電極板で構成された応用例の立体分解図である。
【図１１２】図１１１の正面図である。
【図１１３】図１１２のＡ−Ａ′断面図である。
【図１１４】本発明の交互に対称した内外環に４個の導電貫通孔と隔離貫通孔を設けた電極板で構成された応用例の立体分解図である。
【図１１５】図１１４の正面図である。
【図１１６】図１１５のＡ−Ａ′断面図である。
【図１１７】本発明の電極板の両側の周辺に各々一個の合流端子を設けた両合流端子の実施形態である。
【図１１８】図１１７の側面図である。
【図１１９】本発明の電極板の両側の異なる辺に各々一個の合流端子を設けた両合流端子の実施形態である。
【図１２０】図１１９の側面図である。
【図１２１】本発明の電極板の両側の中間付近に各々一個の合流端子を設けた両合流端子の実施形態である。
【図１２２】図１２１の側面図である。
【図１２３】本発明の電極板両側の縁辺に各々合流端子を設けた四合流端子の実施形態である。
【図１２４】図１２３の側面図である。
【図１２５】本発明の電極板両側に各々交互に設置された合流端子を設けた四合流端子の実施形態である。
【図１２６】図１２５の側面図である。
【図１２７】本発明の電極板の四側の中間に各々合流端子を設けた四合流端子の実施形態である。
【図１２８】図１２７の側面図である。
【図１２９】本発明の軸方向に隙間のある非閉合中空管構造の弾性管状導電棒構造である。
【図１３０】本発明の絶縁リング状構造である。
【発明を実施するための形態】
【００１４】
以下、本発明の実施の形態を図面を用いて説明する。尚、本設計の特徴を現わす為、従来の蓄放電装置の外殻及び異極性極板間の隔離板又は隔離シート又は隔離膜は、各図において省略されている。
【００１５】
実施の形態１．
実施の形態１は、四角形又は近似四角形の電極板両側に各々導電貫通孔を設けた構成例（一）〜（六）を示す。
（一）  以下に実施の形態１の第１例を示す。
図１は、本項の蓄放電装置の低内抵抗接続構造で、両側に各々導電貫通孔と隔離空間を設けた電極板で構成された実施の形態１の立体分解図を示す。
図２は図１の前視図を示し、図３は図２のＡ−Ａ′断面図、図４は図２のＢ−Ｂ′断面図を示す。
図１〜図４に示された実施形態の主な特徴は、蓄放電装置の正極電極板Ｐ１０１の両側に、各々導電孔Ｃ１０１、Ｃ１０２及び隔離間隙Ｓ１０１、Ｓ１０２を設けた構造であり、負極電極板Ｐ２０１の両側に、各々導電貫通孔Ｃ２０１、Ｃ２０２及び隔離空隙Ｓ２０１、Ｓ２０２を設けた構造であり、正極板と負極板を交互に重ね、両隣の異極性極板間に隔離体Ｉ１０１を設け、上記貫通孔を貫通する正極導電棒Ｂ１０１、Ｂ１０２及び負極導電棒Ｂ２０１、Ｂ２０２に各々貫通結合されて並列接続されるか、又は導電棒両端を各々異極性極板を貫通して直列接続したことにある。
【００１６】
（二）  以下に実施の形態１の第２例を示す。
図５は、本蓄放電装置の低内抵抗合流構造で、両側に各々一個の導電孔及び隔離貫通孔を設けた電極板で構成された応用例の立体図を示す。
図６は図５の前視図を示し、図７は図６のＡ−Ａ′断面図を示し、図８は図６のＢ−Ｂ′断面図を示す。
図５〜図８に示す応用例の主な特徴は、蓄放電装置の正極電極板Ｐ１０１の両側に各々貫通孔Ｃ１０１、Ｃ１０２及び隔離貫通孔Ｓ１１１、Ｓ１１２を設けた構造であり、負極性電極板Ｐ２０１の両側に各々一個の導電孔Ｃ２０１、Ｃ２０２及び隔離孔Ｓ２１１、Ｓ２１２を設けた構造であり、正極板と負極板を交互に重ね、両隣の異極電極板間に隔離体Ｉ１０１を設け、上記導電貫通孔を貫通する正極導電棒Ｂ１０１、Ｂ１０２及び負極導電棒Ｂ２０１、Ｂ２０２に結合して並列接続するか、又は導電棒の両端に各々異極性電極板を貫通して直列接続したことにある。
【００１７】
（三）  以下に実施の形態１の第３例を示す。
図９は、本蓄放電装置の低内抵抗合流構造で、両側に各々二個並列の導電貫通孔と隔離間隙を設けた電極板で構成された応用例の立体分解図を示す。
図１０は図９の前視図を示し、図１１は図１０のＡ−Ａ′断面図を示す。図１２は図１０のＢ−Ｂ′断面図を示す。
図９〜図１２に示す応用例の特徴は、蓄放電装置の正極性極板Ｐ１０１の両側に、各々二個の相隣する導電貫通孔Ｃ１０１、Ｃ１０２、Ｃ１０３、Ｃ１０４及び隔離間隙Ｓ１０１、Ｓ１０２、Ｓ１０３、Ｓ１０４を設けた構造であり、負極板Ｐ２０１の両側に、各々二個の相隣する貫通孔Ｃ２０１、 ２０２、 ２０３、２０４及び隔離間隙Ｓ２０１、Ｓ２０２、Ｓ２０３、Ｓ２０４を設けた構造である。正極板と負極板を交互に重ね、相隣の異極性電極板間に隔離体Ｉ１０１を設け、上記貫通孔を貫通する正極導電棒Ｂ１０１、Ｂ１０２、Ｂ１０３、Ｂ１０４及び負極導電棒Ｂ２０１、Ｂ２０２、Ｂ２０３、Ｂ２０４は、各々同極性板を貫通して並列接続、又は導電棒両端に各々異極板を貫通して直列接続する。
【００１８】
（四）  以下に実施の形態１の第４例を示す。
図１３は、本蓄放電装置の低内部抵抗合流構造で、両側に各々二個並列の導電貫通孔及び隔離貫通孔を設けた電極板で構成された応用例の立体分解図を示す。
図１４は図１３の前視図を示し、図１５は図１４のＡ−Ａ′断面を示し、図１６は図１４のＢ−Ｂ′断面を示す。
図１３〜図１６に示す応用例の主な特徴は、正極板Ｐ１０１の両側に、各々二個の相隣する導電貫通孔Ｃ１０１、Ｃ１０２、Ｃ１０３、Ｃ１０４及び相隣する隔離貫通孔Ｓ１１１、Ｓ１１２、Ｓ１１３、Ｓ１１４を設けた構造で、負極性電極板Ｐ２０１の両側に各々二個の相隣する導電貫通孔Ｃ２０１、Ｃ２０２、Ｃ２０３、Ｃ２０４及び二個の相隣する隔離貫通孔Ｓ２１１、Ｓ２１２、Ｓ２１３、Ｓ２１４を設けた構造で、正極板と負極板を相互に重ね、相隣する異極板間に隔離体Ｉ１０１を設け、上記導電貫通孔を貫通する導電棒Ｂ１０１、Ｂ１０２、Ｂ１０３、Ｂ１０４及び負極導電棒Ｂ２０１、Ｂ２０２、Ｂ２０３、Ｂ２０４は、各々同極性極板を貫通結合して並列接続する。又は導電棒の両端に各々異極板を貫通して直列接続する。
【００１９】
（五）  以下に実施の形態１の第５例を示す。
図１７は、本蓄放電装置の低内部抵抗合流構造で、両側に各々交互して二個の導電貫通孔と二個の隔離切欠及び空隙を設けた電極板で構成された応用例の立体分解図を示す。
図１８は図１７の前視図、図１９は図１８のＡ−Ａ′断面図、図２０は図１８のＢ−Ｂ′断面図を示す。
図１７〜図２０に示す応用例の主な特徴は、蓄放電装置の正極板Ｐ１０１、の両側に各々交互して二個の導電貫通孔Ｃ１０１、Ｃ１０２、Ｃ１０３、Ｃ１０４及び二個の隔離切欠及び空隙Ｓ１０１、Ｓ１０２、Ｓ１０３、Ｓ１０４を設けた構造で、負極性極板Ｐ２０１の両側に各々交互して二個の導電孔Ｃ２０１、Ｃ２０２、Ｃ２０３、Ｃ２０４及び二個の隔離切口及び空隙Ｓ２０１、Ｓ２０２、Ｓ２０３、Ｓ２０４の構造で、正極板と負極板を交互に重ね、各相隣する異極性極板間に隔離体Ｉ１０１を設け、上記貫通孔を貫通する正極導電棒Ｂ１０１、Ｂ１０２、Ｂ１０３、Ｂ１０４及び負極導電棒Ｂ２０１、Ｂ２０２、Ｂ２０３、Ｂ２０４に各々同極性極板を結合して並列接続する。又は導電板両端に各々異極性極板を貫通して直列接続する。
【００２０】
（六）  以下に実施の形態１の第６例について説明する。
図２１は、本項蓄放電装置の低内部抵抗接続構造で両側に各々交差に二個の導電貫通孔と隔離貫通孔を設けた電極板で構成された応用例の立体分解図を示す。
図２２は、図２１の前視図を示し、図２３は図２２のＡ−Ａ′断面図、図２４は図２２のＢ−Ｂ′断面図を示す。
図２１〜図２４に示した応用例の主な特徴は、蓄放電装置の正極板Ｐ１０１の両側に、各々交互した二個の導電貫通孔Ｃ１０１、Ｃ１０２、Ｃ１０３、Ｃ１０４及び二個の隔離貫通孔Ｓ１１１、Ｓ１１２、Ｓ１１３、Ｓ１１４を設けた構造で、負極板Ｐ２０１の両側に各々交互した二個の導電貫通孔Ｃ２０１、Ｃ２０２、Ｃ２０３、Ｃ２０４及び二個の隔離貫通孔Ｓ２１１、Ｓ２１２、Ｓ２１３、Ｓ２１４を設けた構造で、各相隣の異極性極板間に隔離体Ｉ１０１を設け、上記貫通孔を貫通した正極導電棒Ｂ１０１、Ｂ１０２、Ｂ１０３、Ｂ１０４及び負極導電棒Ｂ２０１、Ｂ２０２、Ｂ２０３、Ｂ２０４に各々同極性電極板を貫通して並列接続し、又は導電棒両端に各々異極性電極板を貫通結合して直列接続する。
【００２１】
実施の形態２．
実施の形態２は、三角形又は近似三角形の電極板の三辺に各々導電貫通孔を設けた構成例（一）〜（五）を示す。
（一）  以下に実施の形態２の第１例を示す。
図２５は、本蓄放電装置の低内部抵抗合流構造で、三辺に各々導電貫通孔と隔離空間を設けた三角形電極板で構成された応用例の立体分解図を示す。
図２６は図２５の前視図で、図２７は図２６のＡ−Ａ′断面図を示し、図２８は図２６のＢ−Ｂ′断面図を示す。
図２５〜図２８に示す応用例の主な特徴は、蓄放電装置の正極板Ｐ１０１の三辺に各々一個の導電貫通孔Ｃ１０１、Ｃ１０２、Ｃ１０３及び隔離空間Ｓ１０１、Ｓ１０２、Ｓ１０３を設けた構造で、負極板Ｐ２０１の三辺に各々一個の導電貫通孔Ｃ２０１、Ｃ２０２、Ｃ２０３と一個の隔離空間Ｓ２０１、Ｓ２０２、Ｓ２０３を設けた構造で、正極板と負極板を交互に重ね、相隣の異極性極板間に隔離体Ｉ１０１を設け、上記貫通孔を貫通する正極導電棒Ｂ１０１、Ｂ１０２、Ｂ１０３及び負極導電棒Ｂ２０１、Ｂ２０２、Ｂ２０３に各々同極性極板を結合して並列接続、又は導電棒両端に各々異極性極板を直列接続する。
【００２２】
（二）  以下に実施の形態２の第２例を示す。
図２９は、本蓄放電装置の低内部抵抗合流構造で、三辺に各々一個の導電貫通孔と一個の隔離貫通孔を設けた電極板で構成された応用例の立体分解図を示す。
図３０は図２９の前視図で、図３１は図３０のＡ−Ａ′断面図を示し、図３２は図３０のＢ−Ｂ′断面図を示す。
図２９〜図３２に示す応用例の主な特徴は、蓄放電装置の正極板Ｐ１０１の三辺に各々一個の導電貫通孔Ｃ１０１、Ｃ１０２、Ｃ１０３及び一個の隔離貫通孔Ｓ１１１、Ｓ１１２、Ｓ１１３を設けた構造で、負極板Ｐ２０１の三辺に各々一個の導電貫通孔Ｃ２０１、Ｃ２０２、Ｃ２０３及び一個の隔離貫通孔Ｓ２１１、Ｓ２１２、Ｓ２１３を設けた構造で、正極板と負極板を交互に重ね、各相隣の異極板間に隔離体Ｉ１０１を設け、上記導電貫通孔を貫通する正極導電棒Ｂ１０１、Ｂ１０２、Ｂ１０３及び負極導電棒Ｂ２０１、Ｂ２０２、Ｂ２０３に各々同極性極板を貫通結合して並列接続する、又は導電棒両端に異極性極板を貫通して直列接続する。
【００２３】
（三）  以下に実施の形態２の第３例を示す。
図３３は、本蓄放電装置の低内部抵抗の合流構造で、三辺に各々二個並列の導電貫通孔と隔離空間を設けた三角形電極板で構成された応用例の立体分解図を示す。図３４は図３３の前視図を示し、図３５は図３４のＡ−Ａ′断面図を示し、図３６は図３４のＢ−Ｂ′断面図を示す。
図３５〜図３６に示す応用例の主な特徴は、蓄放電装置の正極板Ｐ１０１の三辺に各々二個の相隣する導電貫通孔Ｃ１０１、Ｃ１０２、Ｃ１０３、Ｃ１０４、Ｃ１０５、Ｃ１０６及び三辺に各々隔離空間Ｓ１０１、Ｓ１０２、Ｓ１０３、Ｓ１０４、Ｓ１０５、Ｓ１０６を設けた構造で、負極板Ｐ２０１の三辺に各々二個の相隣する導電貫通孔Ｃ２０１、Ｃ２０２、Ｃ２０３、Ｃ２０４、Ｃ２０５、Ｃ２０６及び隔離空間Ｓ２０１、２０２、Ｓ２０３、Ｓ２０４、Ｓ２０５、Ｓ２０６の構造で、正極板と負極板を交互に重ね、相隣の異極性極板間に隔離体Ｉ１０１を設け、上記導電貫通孔を貫通する正極導電棒Ｂ１０１、Ｂ１０２、Ｂ１０３、Ｂ１０４、Ｂ１０５、Ｂ１０６及び負極導電棒Ｂ２０１、Ｂ２０２、Ｂ２０３、Ｂ２０４、Ｂ２０５、Ｂ２０６は、各々同極性極板の導電貫通孔を貫通結合して並列接続するか、又は導電棒両端に各々異極性極板を貫通して直列接続する。
【００２４】
（四）  以下に実施の形態２の第４例を示す。
図３７は、本蓄放電装置の低内部抵抗合流構造で、三辺に各々二個並列の導電貫通孔と二個の隔離貫通孔を設けた三角形電極で構成された応用例の立体分解図を示す。図３８は図３７の前視図を示し、図３９は図３８のＡ−Ａ′断面図を示し、図４０は図３８のＢ−Ｂ′断面図を示す。
図３７〜図４０に示す応用例の主な特徴は、蓄放電装置の正極板Ｐ１０１の三辺に二個の相隣する導電貫通孔Ｃ１０１、Ｃ１０２、Ｃ１０３、Ｃ１０４、Ｃ１０５、Ｃ１０６及び二個の相隣する隔離貫通孔Ｓ１１１、Ｓ１１２、Ｓ１１３、Ｓ１１４、Ｓ１１５、Ｓ１１６を設けた構造で、負極板Ｐ２０１の三辺に、二個の相隣する導電貫通孔Ｃ２０１、Ｃ２０２、Ｃ２０３、Ｃ２０４、Ｃ２０５、Ｃ２０６及び二個の相隣する隔離貫通孔Ｓ２１１、Ｓ２１２、Ｓ２１３、Ｓ２１４、Ｓ２１５、Ｓ２１６を設けた構造で、正極板と負極板を交互に重ね、相隣する不同極性極板間に隔離体Ｉ１０１を設け、上記導電貫通孔を貫通する正極導電棒Ｂ１０１、Ｂ１０２、Ｂ１０３、Ｂ１０４、Ｂ１０５、Ｂ１０６及び負極導電棒Ｂ２０１、Ｂ２０２、Ｂ２０３、Ｂ２０４、Ｂ２０５、Ｂ２０６は、各々同極性極板の導電貫通孔を貫通結合して並列接続するか、又は導電棒両端に異極性極板を貫通して直列接続する。
【００２５】
（五）  以下に実施の形態２の第５例を示す。
図４１は、本蓄放電装置の低内部抵抗合流構造で、三辺に各々二個の交互に設置した導電貫通孔及び二個の隔離貫通孔を設けた三角形電極板で構成された応用例の立体分解図を示す。図４２は図４１の前視図で、図４３は図４２のＡ−Ａ′断面図を示し、図４４は図４２のＢ−Ｂ′断面図を示す。
図４１〜図４４に示す応用例の主な特徴は、蓄放電装置の正極板Ｐ１０１の三辺に各々交互に二個の導電貫通孔Ｃ１０１、Ｃ１０２、Ｃ１０３、Ｃ１０４、Ｃ１０５、Ｃ１０６及び交互に二個の隔離貫通孔Ｓ１１１、Ｓ１１２，Ｓ１１３、Ｓ１１４、Ｓ１１５、Ｓ１１６を設けた構造で、負極板Ｐ２０１の三辺に各々交互に二個の導電貫通孔Ｃ２０１、Ｃ２０２、Ｃ２０３、Ｃ２０４、Ｃ２０５、Ｃ２０６及び二個の交互の隔離貫通孔Ｓ２１１、Ｓ２１２、Ｓ２１３、Ｓ２１４、Ｓ２１５、Ｓ２１６を設けた構造で、正極板と負極板を交互に重ね、相隣する異極性極板間に隔離体Ｉ１０１を設け、上記導電貫通孔を貫通する正極導電棒Ｂ１０１、Ｂ１０２、Ｂ１０３、Ｂ１０４、Ｂ１０５、Ｂ１０６及び負極導電棒Ｂ２０１、Ｂ２０２、Ｂ２０３、Ｂ２０４、Ｂ２０５、Ｂ２０６は、各々同極性極板の導電貫通孔を貫通して並列接続するか、又は導電棒両端に各々異極性極板を貫通して直列接続する。
【００２６】
実施の形態３．
実施の形態３は、四角形又は近似四角形の電極板の四辺に各々導電貫通孔を設けた構成例（一）（二）を示す。
（一）  以下に実施の形態３の第１例を示す。
図４５は、本蓄放電装置の低内部抵抗合流構造で、四辺に各々導電貫通孔及び隔離空間を設けた四角形電極板で構成された応用例の立体分解図を示す。図４６は図４５の前視図で、図４７は図４６のＡ−Ａ′断面図、図４８は図４６のＢ−Ｂ′断面図を示す。
図４５〜図４８に示す応用例の主な特徴は、蓄放電装置の正極板Ｐ１０１の四辺に各々一個の導電貫通孔Ｃ１０１、Ｃ１０２、Ｃ１０３、Ｃ１０４及び一個の隔離空間Ｓ１０１、Ｃ１０２、Ｃ１０３、Ｃ１０４を設けた構造で、負極板Ｐ２０１の四辺に各々一個の導電貫通孔Ｃ２０１、Ｃ２０２、Ｃ２０３、Ｃ２０４及び一個の隔離空間Ｓ２０１、Ｃ２０２、Ｃ２０３、Ｃ２０４を設けた構造で、正極板と負極板を交互に重ね、各相隣する異極性極板間に隔離体Ｉ１０１を設け、上記導電貫通孔を貫通する正極導電棒Ｂ１０１、Ｃ１０２、Ｃ１０３、Ｃ１０４及び負極導電棒Ｂ２０１、Ｃ２０２、Ｃ２０３、Ｃ２０４は各々同極性極板の導電貫通孔を貫通結合して並列接続するか、又は導電棒の両端に各々異極性極板を貫通して直列接続する。
【００２７】
（二）  以下に実施の形態３の第２例を示す。
図４９は、本蓄放電装置の低内部抵抗合流構造で、四辺に各々一個の導電貫通孔及び一個の隔離貫通孔を設けた四角形電極板で構成された応用例の立体分解図を示す。図５０は図４９の前視図で、図５１は図５０のＡ−Ａ′断面図を示し、図５２は図５０のＢ−Ｂ′断面図を示す。図４９〜図５２に示す応用例の主な特徴は、蓄放電装置の正極板Ｐ１０１の四辺に各々一個の導電貫通孔Ｃ１０１、Ｃ１０２、Ｃ１０３、Ｃ１０４及び隔離貫通孔Ｓ１１１、Ｓ１１２、Ｓ１１３、Ｓ１１４を設けた構造で、負極板Ｐ２０１の四辺に各々一個の導電貫通孔Ｃ２０１、Ｃ２０２、Ｃ２０３、Ｃ２０４及び隔離貫通孔Ｓ２１１、Ｓ２１２、Ｓ２１３、Ｓ２１４を設けた構造で、正極板と負極板を交互に重ね、各相隣の異極性極板間に隔離体Ｉ１０１を設け、上記導電貫通孔を貫通する正極導電棒Ｂ１０１、Ｂ１０２、Ｂ１０３、Ｂ１０４と負極導電棒Ｂ２０１、Ｂ２０２、Ｂ２０３、Ｂ２０４は各々同極性板を貫通結合して並列接続するか、又は導電棒両端に各々異極性極板を貫通して直列接続する。
【００２８】
実施の形態４．
実施の形態４は、円形又は近似円形の電極板外側に交互導電貫通孔を設置する構成例（一）〜（七）を示す。
（一）  以下に実施の形態４の第１例を示す。
図５３は、本項蓄放電装置の低内部抵抗合流構造で、異極性電極板が交互に一個の導電貫通孔及び隔離切欠を設けた円形又は近似円形電極板で構成された応用例の立体分解図を示す。図５４は図５３の前視図で、図５５は図５４のＡ−Ａ′断面を示す。
図５３〜図５５に示す応用例の主な特徴は、蓄放電装置の正極性円形又は近似円形極板Ｐ１０１の外辺に一個の導電貫通孔Ｃ１０１及び別側に一個の隔離切欠Ｓ１０１を設けた構造で、負極性円形電極板Ｐ２０１の外辺に一個の導電貫通孔Ｃ２０１と別側に一個の隔離切欠Ｓ２０１を設けた構造で、正極板と負極板を交互に重ね、相隣の異極性極板間に隔離体Ｉ１０１を設け、導電貫通孔を貫通する正極導電棒Ｂ１０１と負極導電棒Ｂ２０１は、各々同極性極板の導電貫通孔を貫通結合して並列合流するか、又は導電両端に各々異極性電極板を貫通して直列結合する。この構造の電極板上の電流は、導電棒の周囲から多方向に導電棒に向って集中合流して出力するか又は導電棒より電流を入力して、周囲に多方向に拡散して内部抵抗を低下させる。
【００２９】
（二）  以下に実施の形態４の第２例を示す。
図５６は、本蓄放電装置の低内部抵抗接続構造で、異極性電極板が中間区域で交差して一個の導電貫通孔と隔離貫通孔を設けている円形又は近似円形電極板で構成された応用例の立体分解図を示す。図５７は図５６の前視図で、図５８は図５７のＡ−Ａ′断面を示し、図５８は図５７のＡ−Ａ′断面を示す。
図５６〜図５８に示す応用例の主な特徴は、蓄放電装置の正極性円形又は近似円形電極板Ｐ１０１の外辺に一個の導電貫通孔Ｃ１０１と別側に一個の隔離貫通孔Ｓ１１１を構造で、負極性円形又は近似円形電極板Ｐ２０１の外辺に一個の導電貫通孔Ｃ２０１及び別側に一個の隔離貫通孔Ｓ２１１を設けた構造で、正極板と負極板は交差して重ね、各相隣する異極板の間に隔離体Ｉ１０１を設け、上記導電貫通孔を貫通する正極導電棒Ｂ１０１と負極導電棒Ｂ２０１は、各々同極性極板の導電貫通孔を貫通結合して並列合流するか又は導電棒両端に異極性極板を貫通して直列結合する。この構造の電極板上の電流は、導電棒の周囲から多方向に導電棒に集中して合流出力するか、又は導電棒より電流を入力して周囲に多岐拡散することによって内部抵抗を低下させる。
【００３０】
（三）  以下に実施の形態４の第３例を示す。
図５９は、本項の蓄放電装置の低内部抵抗合流構造で、外側に各々交互に二つ並列された導電貫通孔と隔離空間の円形又は近似円形電極板で構成された応用例の立体分解図を示す。図６０は図５９の前視図で、図６１は図６０のＡ−Ａ′断面図を示す。
図５９〜図６１に示す応用例の主な特徴は、蓄放電装置の正極円形又は類似円形電極板Ｐ１０１の外側に各々交互に設置された二個の相隣導電貫通孔Ｃ１０１、Ｃ１０２及び外側に各々交互に設置された隔離空間Ｓ１０１、Ｓ１０２の構造で、負極性円形又は近似円形電極板Ｐ２０１の外側に各々交互設置された相隣の二つの導電貫通孔Ｃ２０１、Ｃ２０２及び外側に各々交互に設置された隔離空間Ｓ２０１、Ｓ２０２の構造で、正極板と負極板を交互に重ね、各相隣する異極性極板間に隔離体Ｉ１０１を設け、上記導電貫通孔を貫通する正極導電棒Ｂ１０１、Ｂ１０２及び負極導電棒Ｂ２０１、Ｂ２０２は各々同極性極板の導電貫通孔を貫通結合して並列合流するか、又は導電棒両端に各々異極性極板を貫通して直列結合する。電極板上の電流は、導電棒の周囲から多方向に導電棒に向って集中合流出力を行うか又は導電棒からの入力電力を周囲に多方向に拡散して内部抵抗を低下させる。
【００３１】
（四）  以下に実施の形態４の第４例を示す。
図６２は、本項蓄放電装置の低内部抵抗合流構造で、異極性極板の中間区域に交互に二個並列設置された導電貫通孔及び隔離貫通孔の円形又は近似円形電極板で構成された応用例の立体分解図を示す。図６３は図６２の前視図で、図６４は図６３のＡ−Ａ′断面を示す。
図６２〜図６４に示す応用例の主な特徴は、蓄放電装置の円形又は近似円形の正極板Ｐ１０１の外側に各々交互に設置された二個の相隣する導電貫通孔Ｃ１０１、Ｃ１０２及び外側に各々交互に設置された二個の相隣する隔離貫通孔Ｓ１１１、Ｓ１１２の構造で、正極板と負極板を交互に重ね、相互に相隣する異極性極板間に隔離体Ｉ１０１を設け、上記導電貫通孔を貫通する正極導電棒Ｂ１０１、Ｂ１０２及び負極導電棒Ｂ２０１、Ｂ２０２は、各々同極性電極板の導電貫通孔を貫通結合して並列合流するか、又は導電棒両端に各々異極性電極板を貫通して直列接続する。この構造の電極板上の電流は、導電棒の周囲から多方向に導電棒に集中合流出力又は導電棒から電流入力して多方向に拡散して内部抵抗を低下させる。
【００３２】
（五）  以下に実施の形態４の第５例を示す。
図６５は、本蓄放電装置の低内部抵抗合流構造で、外側に各々交互に設置された二個の導電貫通孔及び二個の隔離切欠の円形又は近似円形極板で構成された応用例の立体分解図を示す。図６６は図６５の前視図で、図６７は図６６のＡ−Ａ′断面で、図６８は図６６のＢ−Ｂ′断面を示す。
図６５〜図６８に示す応用例の主な特徴は、蓄放電装置の円形又は近似円形負極板Ｐ２０１の外側に各々交互に設置された二個の導電貫通孔Ｃ２０１、Ｃ２０２及び隔離切欠Ｓ２０１、Ｓ２０２の構造で、正極板と負極板を交互に重ね、各相隣する異極板間に隔離体Ｉ１０１を設け、上記導電貫通孔を貫通する正極導電棒Ｂ１０１、Ｂ１０２及び負極導電棒Ｂ２０１、Ｂ２０２は、各々同極性極板の導電貫通孔を貫通結合して並列合流するか、又は導電棒両端に異極性極板を貫通して直列結合する。この電極板上の電流は導電棒の周囲の多方向から、導電棒に集中合流出力を行うか又は導電棒からの輸入電流を、周囲に多方向拡散させて内部抵抗を低下させる。
【００３３】
（六）  以下に実施の形態４の第６例を示す。
図６９は、本項の蓄放電装置の低内部抵抗合流構造で、異極性極板の中間区域で交互に二個の導電貫通孔と隔離貫通孔を設けた円形又は近似円形電極板で構成された応用例の立体分解図を示す。図６６は図６５の前視図で、図６７は図６６のＡ−Ａ′断面を示す、図６８は図６６のＢ−Ｂ′断面を示す。
図６５〜図６８に示す応用例の主な特徴は、蓄放電装置の円形又は近似円形正極板Ｐ１０１の外側に、交互に二個の導電貫通孔Ｃ１０１、Ｃ１０２及び隔離切欠Ｓ１０１、Ｓ１０２を設けた構造で、円形又は近似円形負極板Ｐ２０１の外側に、交互に二個の導電貫通孔Ｃ２０１、Ｃ２０２及び隔離切欠Ｓ２０１、Ｓ２０２を設けた構造で、正極板と負極板を交互に重ね、各相隣の異極性極板間に隔離体Ｉ１０１を設け、上記導電貫通孔を貫通する正極導電棒Ｂ１０１、Ｂ１０２及び負極導電棒Ｂ２０１、Ｂ２０２は、各々同極性極板の導電貫通孔を貫通結合して並列合流するか、又は導電棒の両端に各々異極性を貫通して直列結合する。極板上の電流は、導電棒の周囲の多方向から導電棒に集中合流出力するか、又は導電棒からの入力電流が周囲の多方向に拡散して内部抵抗を低下させる。
【００３４】
（七）  以下に実施の形態４の第７例を示す。
図６９は、本蓄放電装置の低内部抵抗合流構造で、異極性極板の中間区域に、交互に二個の導電貫通孔と隔離貫通孔を設けた円形又は近似円形電極板で構成された応用例の立体分解図を示す。図７０は図６９の前視図で、図７１は図７０Ａ−Ａ′断面を示し、図７２は図７０のＢ−Ｂ′断面を示す。
図６９〜図７２に示す応用例の主な特徴は、蓄放電装置の円形又は近似円形正極板Ｐ１０１の外側に、各々交互に二個の導電貫通孔Ｃ１０１、Ｃ１０２及び二個の隔離貫通孔Ｓ１１１、Ｓ１１２を設けた構造で、円形又は近似円形の負極板Ｐ２０１の外側に各々二個の導電貫通孔Ｃ２０１、Ｃ２０２及び二個の隔離導電孔Ｓ２１１、Ｓ２１２を設けた構造で、正極板と負極板を交互に重ね、各相隣する異極板間に隔離体Ｉ１０１を設け、上記導電貫通孔を貫通する正極導電棒Ｂ１０１、Ｂ１０２及び負極導電棒Ｂ２０１、Ｂ２０２は、各々同極性極板を貫通結合して並列合流するか、又は導電棒の両端に各々異極性極板を貫通して直列結合する。電極板上の電流は、導電棒の周囲から多方向に導電棒に集中合流出力するか、又は導電棒の入力電流が周囲の多方向に拡散して内部抵抗を低減する。
【００３５】
実施の形態５．
実施の形態５は、対称又は近似対称の電極板の外側に、導電貫通孔を対称に設置した構成例（一）〜（六）を示す。
（一）  以下に実施の形態５の第１構成例を示す。
図７３は、本項蓄放電装置の低内部抵抗接続構造で、二つの対称外側に各々一個の導電貫通孔を設けた楕円形又は近似楕円形電極板で構成された応用例の立体分解図を示す。図７４は図７３の前視図で、図７５は図７４のＡ−Ａ′断面図である。
図７３〜図７５に示す応用例の主な特徴は、蓄放電装置の正極板Ｐ１０１の二対称外側に各々一個の導電貫通孔Ｃ１０１、Ｃ１０２を設けた構造で、負極板Ｐ２０１の二対称外側に各々一個の導電貫通孔Ｃ２０１、Ｃ２０２を設けた構造で、上記異極性の楕円又は近似楕円形電極板を交互に重ね、相隣する両極板間の重ならない部分が隔離空間を形成し、相隣する異極性極板間に隔離体Ｉ１０１を設け、上記導電貫通を貫通孔する正極導電棒Ｂ１０１、Ｂ１０２及び負極棒Ｂ２０１、Ｂ２０２は、各々同極性極板を貫通結合して並列接続するか、又は導電棒の両端に各々異極性極板を貫通して直列接続をする。
【００３６】
（二）  以下に実施の形態５の第２構成例を示す。
図７６は、本項蓄放電装置の低内部抵抗接続構造で、二つの対称外側に各々一個の導電貫通孔を設けた長方形又は近似長方形電極板で構成された応用例の立体分解図を示す。図７７は図７６の正視図で、図７８は図７７のＡ−Ａ′断面図を示す。
図７６〜図７８に示す応用例の主な特徴は、蓄放電装置の正極板Ｐ１０１の両対称外側に各々一個の導電貫通孔Ｃ１０１、Ｃ１０２を設け、負極板Ｐ２０１の両対称外側に各々一個の導電貫通孔Ｃ２０１、Ｃ２０２を設けた構造で、異極性の長方形又は近似長方形電極板を交互に重ね、相隣する異極性極板間に隔離体Ｉ１０１を設け、極板が相重ならない部分を隔離空間とする。上記導電貫通管を貫通する正極導電棒Ｂ１０１、Ｂ１０２及び負極棒Ｂ２０１、Ｂ２０２は、各々同極性電極板の導電貫通孔を貫通結合して並列接続、又は導電棒の両端に各々異極性極板を貫通して直列接続する。
【００３７】
（三）  以下に実施の形態５の第３構成例を示す。
図７９は、本項蓄放電装置の低内部抵抗接続構造で、両対称外側に各々二個並列の導電貫通孔を設けた長方形又は近似長方形電極板で構成された応用例の立体分解図を示す。図８０は図７９の前視図で、図８１は図８０のＡ−Ａ′断面図を示す。
図７９〜図８１に示す応用例の主な特徴は、その蓄放電装置の正極板Ｐ１０１の両対称外側に各々二個の相隣導電貫通孔Ｃ１０１、Ｃ１０２、Ｃ１０３、Ｃ１０４を設け、負極板Ｐ２０１の両対称外側に各々二個の相隣導電貫通孔Ｃ２０１、Ｃ２０２、Ｃ２０３、Ｃ２０４を設けた構造で、上記異極性長方形又は近似長方形電極板を交互に重ね、相隣する異極板間に隔離体Ｉ１０１を設け、極板の相重ならない部分で隔離空間を形成する。上記導電貫通孔を貫通する正極導電棒Ｂ１０１、Ｂ１０２、Ｂ１０３、Ｂ１０４及び負極棒Ｂ２０１、Ｂ２０２、Ｂ２０３、Ｂ２０４は、各々同極性電極板の導電貫通孔を貫通結合して並列接続するか、又は導電棒両端に各々異極性電極板を貫通して直列接続する。
【００３８】
（四）  以下に実施の形態５の第４構成例を示す。
図８２は、本項の蓄放電装置の低内部抵抗接続構造で、三角形の外辺に各々一個の導電貫通孔を設けた三角形又は近似三角形の電極板で構成された応用例の立体分解図を示す。図８３は図８２の前視図で、図８４は図８３のＡ−Ａ′断面図である。
図８２〜図８４に示す応用例の主な特徴は、蓄放電装置正極板Ｐ１０１の三辺外側に各々一個の導電貫通孔Ｃ１０１、Ｃ１０２、Ｃ１０３を設け、負極板Ｐ２０１の三辺外側に各々一個の導電貫通孔Ｃ２０１、Ｃ２０２、Ｃ２０３を設けた構造で、上記異極性の三角形又は近似三角形電極板を交互に重ね、相重ならない部分で隔離空間を形成し、各相隣する異極板間に隔離体Ｉ１０１を設け、上記導電貫通孔を貫通する正極導電棒Ｂ１０１、Ｂ１０２、Ｂ１０３及び負極棒Ｂ２０１、Ｂ２０２、Ｂ２０３は、各々同極性電極板の導電貫通孔を貫通結合して並列接続又は導電棒の両端に各々異極性極板を貫通して直列接続する。
【００３９】
（五）  以下に実施の形態５の第５構成例を示す。
図８５は本項蓄放電装置の低内部接続構造で、対称四角形外辺に各々一個の導電貫通孔を設けた対称四角形又は近似対称四角形電極板で構成された応用例の立体分解図を示す。図８６は図８５の前視図で、図８７は図８６のＡ−Ａ′断面図である。
図８５〜図８７に示す応用例の主な特徴は、その蓄放電装置の正極板Ｐ１０１の対称四角形外側に各々一個の導電貫通孔Ｃ１０１、Ｃ１０２、Ｃ１０３、Ｃ１０４を設けた構造で、負極板Ｐ２０１の対称四角形外側に各々一個の導電貫通孔Ｃ２０１、Ｃ２０２、Ｃ２０３、Ｃ２０４を設けた構造で、上記正極板と負極板を交互に重ね、相重ならない部分を隔離空間とし、相隣する異極性極板間に隔離板Ｉ１０１を設け、上記導電貫通孔を貫通する正極導電棒Ｂ１０１、Ｂ１０２、Ｂ１０３、Ｂ１０４及び負極棒Ｂ２０１、Ｂ２０２、Ｂ２０３、Ｂ２０４は、各々同極性極板の導電貫通孔を貫通結合して並列接続するか、又は導電棒両端に異極性極板を貫通して直列結合する。
【００４０】
（六）  以下に実施の形態５の第６構成例を示す。
図８８に示す本項蓄放電装置の低内部抵抗接続構造で、円形又は類似円形の外側に交互に導電貫通孔と隔離貫通孔を設けた電極板で構成された応用例の立体分解図を示す。図８９は図８８の前視図で、図９０は図８９のＡ−Ａ′断面を示し、図９１は図８９のＢ−Ｂ′断面図である。
図８８〜図９１に示す応用例の主な特徴は、蓄放電装置の正極板Ｐ１０１の円形又は近似円形の外側に各々交互に導電貫通孔Ｃ１０１、Ｃ１０２、Ｃ１０３、Ｃ１０４、Ｃ１０５、Ｃ１０６及び各々交互に隔離貫通孔Ｓ１１１、Ｓ１１２、Ｓ１１３、Ｓ１１４、Ｓ１１５、Ｓ１１６を設けた構造で、負極板Ｐ２０１の円形又は近似円形の外側に各々交互に導電貫通孔Ｃ２０１、Ｃ２０２、Ｃ２０３、Ｃ２０４、Ｃ２０５、Ｃ２０６及び隔離貫通孔Ｓ２１１、Ｓ２１２、Ｓ２１３、Ｓ２１４、Ｓ２１５、Ｓ２１６を設けた構造で、正極板と負極板を交互に重ね、相隣の異極板間に隔離板Ｉ１０１を設け、上記導電貫通孔を貫通する正極導電棒Ｂ１０１、Ｂ１０２、Ｂ１０３、Ｂ１０４、Ｂ１０５、Ｂ１０６及び負極棒Ｂ２０１、Ｂ２０２、Ｂ２０３、Ｂ２０４、Ｂ２０５、Ｂ２０６は、各々同極性の導電貫通孔を貫通結合して並列接続するか、又は導電棒の両端に異極性極板を貫通して直列接続する。上記各電極板の導電貫通孔が２個又は２個以上で、隔離貫通孔が２個又は２個以上を特徴とする。
【００４１】
実施の形態６．
実施の形態６は、電極板の中間区域に導電貫通孔を設けた構成例（一）〜（六）を示す。
（一）  以下に実施の形態６の第１構成例を示す。
図９２は、本項蓄放電装置の低内部抵抗接続構造で、異極性電極板の中間区域付近に一個の導電貫通孔と隔離貫通孔を設けた応用例の立体分解図を示す。図９３は図９２の前視図で、図９４は図９３のＡ−Ａ′断面図である。
図９２〜図９４に示す応用例の主な特徴は、その正極板Ｐ１０１の中間区域の相互対称位置に各々一個の導電貫通孔Ｃ１０１及び隔離貫通孔Ｓ１１１を設けた構造で、負極板Ｐ２０１の中間区域の相互対称位置に一個の導電貫通孔Ｃ２０１及び隔離貫通孔Ｓ２１１を設けた構造で、上記正極板と負極板を交互に重ね、相隣する異極性板間に隔離体Ｉ１０１を設け、上記導電貫通孔を貫通する正極貫通棒Ｂ１０１及び負極導電棒Ｂ２０１は、各々同極性電極板の導電貫通孔を貫通結合して並列接続するか、又は導電棒の両端に異極性電極板を貫通して直列接続するもので、電極板上の電流は、導電棒の周囲の多方向から導電棒に集中合流し、又は、導電棒の入力電流を周囲の多方向に拡散して内部抵抗を低下させる。
【００４２】
（二）  以下に実施の形態６の第２構成例を示す。
図９５は、本項蓄放電装置の低内部抵抗接続構造で、異極性電極板の中間区域付近に二個の導電貫通孔及び隔離貫通孔を設けた構造の応用例の立体分解図を示す。図９６は図９５の前視図を示し、図９７は図９６のＡ−Ａ′断面図を示す。
図９５〜図９７に示す応用例の主な特徴は、その正極板Ｐ１０１の中間区域の相互対象位置に各々二個の導電貫通孔Ｃ１０１、Ｃ１０２及び隔離貫通孔Ｓ１１１、Ｓ１１２を設けた構造で、負極板Ｐ２０１の中間区域の相互対象位置に各々二個の導電貫通孔Ｃ２０１、Ｃ２０２及び隔離貫通孔Ｓ２１１、Ｓ２１２を設けた構造で、上記正極板と負極板を交互に重ね、各相隣する異極性極板の間に隔離体Ｉ１０１を設け、上記導電貫通孔を貫通する正極導電棒Ｂ１０１、Ｂ１０２及び負極導電棒Ｂ２０１、Ｂ２０２は、各々同極性極板を貫通結合して並列接続するか、又は導電棒の両端に各々異極性電極板を貫通して直列接続する。電極板の電流は、導電棒の周囲多方向から導電棒に向かって集中合流し、又は導電棒入力電流を周囲多方向に拡散して内部抵抗を低下させる。
【００４３】
（三）  以下に実施の形態６の第３構成例を示す。
図９８は本項蓄放電装置の低内部抵抗接続構造で、異極性極板の中間区域付近に相互に交互対称に分布した二個の導電貫通孔及び隔離貫通孔を設けた構造の応用例立体構造図を示す。図９９は図９８の前視図で、図１００は図９９のＡ−Ａ′断面図である。
図９８〜図１００に示す応用例の主な特徴は、その正極板Ｐ１０１の中間区域付近に、相互対称して交互に二個の導電貫通孔Ｃ１０１、Ｃ１０２及び隔離貫通孔Ｓ１１１、Ｓ１１２を設け、負極板Ｐ２０１の中間区域付近に、相互対称して交互に二個の導電貫通孔Ｃ２０１、Ｃ２０２及び隔離貫通孔Ｓ２１１、Ｓ２１２を設けた構造で、正極板と負極板を交互に重ね、相隣する異極板間に隔離体Ｉ１０１を設け、上記導電貫通孔を貫通する正極導電棒Ｂ１０１、Ｂ１０２及び負極導電棒Ｂ２０１、Ｂ２０２は、各々同極性極板の導電貫通孔を貫通結合して並列接続するか、又は導電棒両端に各々異極性極板を貫通して直列接続する。導電板の電流は、導電棒の周囲多方向から導電棒に集中合流し、又は導電棒からの入力電流を周囲多方向に拡散して内部抵抗を低下させる。
【００４４】
（四）  以下に実施の形態６の第４構成例を示す。
図１０１は、本項蓄放電装置の低内部抵抗接続構造で、異極性電極板の中間区付近に相互に対称して交互に三個の導電貫通孔と隔離貫通孔を設けた応用例の立体分解図を示す。図１０２は図１０１の前視図を示し、図１０３は図１０２のＡ−Ａ′断面図で、図１０４は図１０２のＢ−Ｂ′断面図を示す。
図１０１〜図１０４に示す応用例の主な特徴は、その正極板Ｐ１０１の中間区域付近に相互対称に交互分布した三個の導電貫通孔Ｃ１０１、Ｃ１０２、Ｃ１０３及び隔離貫通孔Ｓ１１１、Ｓ１１２、Ｓ１１３を設け、負極板Ｐ２０１の中間区域付近に相互対象に交互分布した三個の導電貫通孔Ｃ２０１、Ｃ２０２、Ｃ２０３及び隔離貫通孔を設けた構造で、正極板と負極板を交互に重ね、相隣する異極性極板間に隔離体Ｉ１０１を設け、上記導電貫通孔を貫通する正極導電棒Ｂ１０１、Ｂ１０２、Ｂ１０３及び負極導電棒Ｂ２０１、Ｂ２０２、Ｂ２０３は、各々同極性の電極板の導電貫通孔を貫通結合して並列接続するか、又は導電棒の両端に各々異極性板を貫通結合して直列接続するもので、電極板の電流は導電棒周囲の多方向から導電棒に集中合流するか、又は導電棒からの入力電力を周囲に多方向拡散して、内部抵抗を低下させる。
【００４５】
（五）  以下に実施の形態６の第５構成例を示す。
図１０５は、本蓄放電装置の低内部抵抗接続構造で、異極性電極板の中間区域付近に六角形に対称交互に三個の導電貫通孔と隔離貫通孔を設けた応用例の立体分解図を示す。図１０６は図１０５の前視図で、図１０７は図１０６のＡ−Ａ′断面図である。
図１０５〜図１０７に示す応用例の特徴は、正極性電極板Ｐ１０１の中間区域に、六角形に対称交互して三個の導電貫通孔Ｃ１０１、Ｃ１０２、Ｃ１０３及び隔離貫通孔Ｓ１１１、Ｓ１１２、Ｓ１１３を設けた構造で、負極板Ｐ２０１の中間区域に、六角形に対称交互に三個の導電貫通孔Ｃ２０１、Ｃ２０２、Ｃ２０３及び隔離貫通孔Ｓ２１１、Ｓ２１２、Ｓ２１３を設けた構造で、正極板と負極板を交互に重ね、相隣異極性板間に隔離体Ｉ１０１を設け、上記導電貫通孔を貫通する正極導電棒Ｂ１０１、Ｂ１０２、Ｂ１０３及び負極棒Ｂ２０１、Ｂ２０２、Ｂ２０３は、各々同極性極板を貫通結合して並列接続するか、又は導電棒の両端に各々異極板を貫通して直列接続するもので、電極板上の電流は、導電棒の周囲多方向から導電棒に向って合流出力するか、又は導電棒入力電流を周囲多方向に拡散して内部抵抗を低下させる。
【００４６】
（六）  以下に実施の形態６の第６構成例を示す。
図１０８は、本項蓄放電装置の低内部抵抗接続構造で、異極性電極板の中間区域付近に三個の導電貫通孔と隔離貫通孔を設けた構造の応用例の立体分解図を示す。図１０９は図１０８の前視図で、図１１０は図１０９のＡ−Ａ′断面図である。
図１０８〜図１１０に示す応用例の主な特徴は、その正極板Ｐ１０１の中間区域に対称交互に三個の導電貫通孔Ｃ１０１、Ｃ１０２、Ｃ１０３及び隔離貫通孔Ｓ１１１、Ｓ１１２、Ｓ１１３を設けた構造で、負極板Ｐ２０１の中間区域に対称交互に三個の導電貫通孔Ｃ２０１、Ｃ２０２、Ｃ２０３及び隔離貫通孔Ｓ２１１、Ｓ２１２、Ｓ２１３を設けた構造で、正極板と負極板を交互に重ね、異極板の間に隔離体Ｉ１０１を設け、上記導電貫通孔を貫通する正極導電棒Ｂ１０１、Ｂ１０２、Ｂ１０３及び負極導電棒Ｂ２０１、Ｂ２０２、Ｂ２０３は、各々同極性極板の導電貫通孔を貫通結合して並列接続、又は導電棒の両端に各々異極性極板を貫通して直列接続するもので、その電極板の電流は、導電棒の周囲多方向から導電棒に集中合流するか、又は導電棒からの入力電流を周囲多方向に拡散して内部抵抗を低下させる。
【００４７】
実施の形態７．
実施の形態７は、電極板内外リングに導電貫通孔を設けた構成例（一）（二）を示す。
（一）  以下に実施の形態７の第１構成例を示す。
図１１１は、本項蓄放電装置の低内部抵抗接続構造で、交互に対称する内外環に四個の導電貫通孔及び隔離貫通孔を設けた電極板で構成された応用例の立体分解図を示す。図１１２は図１１１の前視図で、図１１３は図１１２のＡ−Ａ′断面図を示す。
図１１１〜図１１３に示す応用例の主な特徴は、その正極板Ｐ１０１に交互対称の環状に四個の導電貫通孔Ｃ１０１、Ｃ１０２、Ｃ１０３、Ｃ１０４及び隔離貫通孔Ｓ１１１、Ｓ１１２、Ｓ１１３、Ｓ１１４を設けた構造で、負極板Ｐ２０１に交互対称の環状に四個の導電貫通孔Ｃ２０１、Ｃ２０２、Ｃ２０３、Ｃ２０４及び隔離貫通孔Ｓ２１１、Ｓ２１２、Ｓ２１３、Ｓ２１４を設けた構造で、正極板と負極板を交互に重ね、相隣する異極性極板間に隔離体Ｉ１０１を設け、上記導電貫通孔を貫通する正極導電棒Ｂ１０１、Ｂ１０２、Ｂ１０３、Ｂ１０４及び負極導電棒Ｂ２０１、Ｂ２０２、Ｂ２０３、Ｂ２０４は各々同極性極板の導電貫通孔を貫通結合して並列接続、又は導電棒の両端に各々異極性電極板を貫通して直列接続する。
【００４８】
（二）  以下に実施の形態７の第２構成例を示す。
図１１４は、本項蓄放電装置の低内部抵抗接続構造で、交互対称の内外環に四個の導電貫通孔及び隔離貫通孔を設けた電極板で構成された応用例の立体分解図を示す。図１１５は、図１１４の前視図で、図１１６は図１１５のＡ−Ａ′断面図を示す。
図１１４〜図１１６に示す応用例の主な特徴は、その正極板に交互対称する内外環に四個の導電貫通孔Ｃ１０１、Ｃ１０２、Ｃ１０３、Ｃ１０４及び隔離貫通孔Ｓ１１１、Ｓ１１２、Ｓ１１３、Ｓ１１４を設けた構造で、負極板Ｐ２０１に交互対称する内外環に四個の導電貫通孔Ｃ２０１、Ｃ２０２、Ｃ２０３、Ｃ２０４及び隔離貫通孔Ｓ２１１、Ｓ２１２、Ｓ２１３、Ｓ２１４を設けた構造で、正極板と負極板を交互に重ね、上記導電貫通孔を貫通する正極導電棒Ｂ１０１、Ｂ１０２、Ｂ１０３、Ｂ１０４及び負極導電棒Ｂ２０１、Ｂ２０２、Ｂ２０３、Ｂ２０４は、各々同極性電極板の導電貫通孔を貫通結合して並列接続するか、又は導電板の両端に各々異極性極板を貫通して直列接続する。
【００４９】
以上、実施の形態１乃至実施の形態７（図１〜図１１６）に述べた各実施形態は、電極板を応用する必要に応じた幾何形状と数量に選択する外、本蓄放電装置の低内部抵抗接続構造の基本的主な特徴は、異極性極板上に導電棒を結合させる導電貫通孔及び異極性導電棒を貫通させても相接触しない空隙又は切欠のある隔離貫通孔を設ける外、電極板間に伝統の蓄放電装置に使用されている隔離体と外殻を設けたもので、以下の主な構造と共同特徴を有する。
【００５０】
（１）正極板
一次又は二次バッテリの正電極板で構成され、極板上に導電貫通孔及び異極性電極板の導電棒を貫通しても接触しない隔離空隙又は隔離切欠又は隔離貫通孔を設け、導電貫通孔は、導電棒を貫通させ、導電棒と導電貫通孔の結合は、機械式密接嵌合又は溶接又は管形導電棒の管体変形弾力による締り嵌合に由って良好な導電状態を保つもの、或いは軸方向間隙を有する非密閉中空管構造の弾性管状導電棒で構成され、貫通後、管体の変形弾力で緊密嵌合するもの。
【００５１】
（２）負極板
一次又は二次バッテリの負極板で構成され、極板上に貫通孔及び異極性板の導電棒を貫通しても相互に接触しない隔離空隙又は隔離切欠又は隔離貫通孔を設け、導電貫通孔は導電棒を貫通させ、導電棒と導電貫通孔の結合は、機械式密接嵌合又は溶接、又は管形導電棒の管体変形弾力に由る締り嵌合で良好な導電状態を有するもの。
【００５２】
なお、上記正極板と負極板の形状は、同形状のものを交互重ねるか又は異形状のもので構成し、異極性導電棒を所定の電極板上の導電貫通孔を貫通結合して相互に干渉しないもの。
【００５３】
実施の形態８．
実施の形態８は、電極板の両側又は両側以上に各々外に延伸した合流端子の構成例（一）〜（六）を示す。
（一）  以下に実施の形態８の第１構成例を示す。
図１１７は、本項蓄放電装置の低内部抵抗接続構造で、電極板の両側の周辺に各々一個の合流端子の双合流端子の実用例を示す。図１１８は図１１７の側視図である。
図１１７〜図１１８で示す応用例の主な特徴は、その正極板Ｐ１０１の両側周辺に各々一個の合流端子Ｔ１０１、Ｔ１０２を設け、同一極板に二個の合流端子を有する構造で、負極板Ｐ２０１の両側周辺にも各々一個の合流端子Ｔ２０１、Ｔ２０２を設け、同一極板に二個の合流端子を有する構造で、上記電極板はＰ１０１とＰ２０１で構成され、正極板と負極板を交互に重ね、又は交互に重ねた後、更に多組の横向縦列に直列又は並列接続する構造で、各相隣の異極性極板間に隔離体Ｉ１０１を設け、上記二合流端子を接続して同極性電極板の合流端子として並列接続するか、又は二個の合流端子を各々異極性相隣電極板の合流端子と二合流通路の直列接続をする。
【００５４】
（二）  以下に実施の形態８の第２構成例を示す。
図１１９は、本項蓄放電装置の低内部抵抗接続構造で、電極板両側の不周辺に各々一個の合流端子の二合流端子の実施例を示す。図１２０は図１１９の側視図である。
図１１９〜図１２０に示す応用例の主な特徴は、その正極板Ｐ１０１の両側不周辺に各々一個の合流端子Ｔ１０１、Ｔ１０２を設け、同一極板に二個の合流端子を有する構造で、上記電極板はＰ１０１とＰ２０１で構成され、正極板と負極板を交互に重ね、又は重ねた後、更に多組の横向縦列に直列又は並列結合する構造で、各相隣する異極性電極板間に隔離体Ｉ１０１を設け、上記二合流端子で同極性電極板の合流端子として並列接続、又は各々異極性相隣電極板の合流端子として両電流通路の直列接続をする。
【００５５】
（三）  以下に実施の形態８の第３構成例を示す。
図１２１は、本項蓄放電装置の低内部抵抗接続構造で、電極板の両側の中間付近に各々一個の合流端子を設けた双合流端子の実施例で、図１２２は図１２１の側示図である。
図１２１〜図１２２に示す応用例の主な特徴は、その正極板Ｐ１０１の両側の中間付近に各々一個の合流端子Ｔ１０１、Ｔ１０２を設け、同一極板に二個の合流端子を有する構造で、負極板Ｐ２０１の両側中間付近に各々一個の合流端子Ｔ２０１、Ｔ２０２を設け、同一極板に二個の合流端子を有する構造で、上記電極板はＰ１０１とＰ２０１で構成され、正極板と負極板は交互に重ね、又は重ねた後、更に多組の横向縦列に直列又は並列接続する構造で、相隣の異極性極板間に隔離体Ｉ１０１を設け、上記二合流端子で同極性極板の端子を並列接続又は各々異極性の相隣電極板の合流端子として二電流通路の直列接続をする。
【００５６】
（四）  以下に実施の形態８の第４構成例を示す。
図１２３は、本項蓄放電装置の低内部抵抗接続構造で、電極板両側の縁近辺に各々合流端子を設けた４合流端子の形態を示す。図１２４は図１２３の側面図である。
図１２３〜図１２４に示す応用例の主な特徴は、正極板Ｐ１０１の両側縁近辺に各々設置された合流端子で構成された、両側に各々２個の合流端子Ｔ１０１、Ｔ１０２、Ｔ１０３、Ｔ１０４を有し、負極板Ｐ２０１の両側縁近辺に各々合流端子を設けて構成された両側に各々２個の合流端子Ｔ２０１、Ｔ２０２、Ｔ２０３、Ｔ２０４を有し、即ち、各電極板に各々４組の合流端子がある構造で、上記電極板は正極板Ｐ１０１と負極板Ｐ２０１で構成され、正極板と負極板を交互に重ね、又は交互に重ねた後、多組の横向縦列になって直列又は並列結合をする構造で、相隣の異極板間に隔離体Ｉ１０１を設け、上記二つの合流端子で同極性電極板の合流端子を結合して四つの電流通路を作って、並列接続、又は４組の合流端子を各々異極性の相隣極板の合流端子と四つの電流通路を作る直列接続する。
【００５７】
（五）  以下に実施の形態８の第５構成例を示す。
図１２５は、本項蓄放電装置の低内部抵抗接続構造で、電極板の両側の各々交互に合流端子を設置した４合流端子の実施側を示す。図１２６は図１２５の側面図である。
図１２５〜図１２６に示す応用例の主な特徴は、その正極板Ｐ１０１の両側に各々交互に合流端子Ｔ１０１、Ｔ１０２、Ｔ１０３、Ｔ１０４を設け、負極板Ｐ２０１の両側に各々交互に合流端子Ｔ２０１、Ｔ２０２、Ｔ２０３、Ｔ２０４を設け、即ち、各電極板に四組の合流端子を有する構造で、正極板Ｐ１０１と負極板Ｐ２０１で構成され、正極板と負極板を交互に重ねるか、又は重ねた後、多組の横向縦列で直列又は並列結合の構造で、各相隣の異極性板間に隔離体Ｉ１０１を設け、上記二つの合流端子で同極性板の合流端子を結合して四つの電流回路を作って並列接続、又は４組の合流端子を各々異極性相隣電極板の合流端子とで四つの電流通路を作る直列接続する。
【００５８】
（六）  以下に実施の形態８の第６構成例を示す。
図１２７は、本項の蓄放電装置の低内部抵抗接続構造で、電極板の四側中間に各々設置された四合流端子の実施例を示す。図１２８は図１２７の側面図である。
図１２７〜図１２８に示す応用例の主な特徴は、その正極板Ｐ１０１の四側中間に各々合流端子Ｔ１０１、Ｔ１０２、Ｔ１０３、Ｔ１０４を設け、負極板Ｐ２０１の四側中間に各々設けた合流端子で両側に各々２個の合流端子Ｔ２０１、Ｔ２０２、Ｔ２０３、Ｔ２０４を構成し、即ち、各電極板に各々４組の合流端子を有する構造で、上記電極板は、正極板Ｐ１０１と負極板Ｐ２０１で構成され、両者を交互に重ねるか、又は重ねた後に多組の横向縦列に直列又は並列結合する構造で、各相隣する異極性電極板間に隔離体Ｉ１０１を設け、上記二つの合流端子で、同極性電極板の合流端子を結合して四つの電流通路を並列接続させるか、又は四組の合流端子を各々異極性相隣の電極板合流端子とで四つの電流通路を直列接続する。
【００５９】
実施の形態８において、図１１７〜図１１８で示した各構成例は、具体的に列挙した数種の応用例であり、本項設計の応用範囲が、これらに限られているのではない。実際、四角形又は近似四角形の電極板に応用される場合、両側又は四側に合流端子を設置できる外、その三辺にのみ合流端子を設定可能で、電極板形状も四角形以外に円形又は近似円形、楕円形又は近似楕円形、三角形又は三角形以上（三角形、四角形、五角形、六角形、七角形、八角形及び八角形以上の多辺形を含む）で構成され得る。そして、各電極板に二個又は二個以上の合流端子を有し、電極に二通路又は二通路以上の電流回路を有することを特徴とする。
【００６０】
以上の説明から、上記の図１〜図１２８に示す各実施例は、各電極板は、必要に応じた各々の特徴を有する外、各実施例は以下の共同特徴を有する。
上記正極板と負極板は、円形又は近似円形、楕円形又は近似楕円形、三角形又は三角形以上（三角形、四角形、五角形、六角形、七角形、八角形又は八角以上の多角形を含む）の電極板で構成され、その低内部抵抗接続構造では、以下の各型態を含む。
【００６１】
（１）正極板又は負極板の両側又は両側以上に各々一個又は一個以上の各々外伸する合流端子、（２）正極板又は負極板の外側付近の両側又は両側以上の選定区域又は中間区域に各々一個又は一個以上の導電貫通孔を設け、又、上記正極板と負極板の両側又は両側以上の選定区域又は中間区域に各々一個以上の異極性電極板を貫通した導電棒が貫通しても相接触しない隔離空間又は隔離切欠、或いは一個又は一個以上の、寸法が導電棒より大きい隔離貫通孔で構成され、電極板に二適格又は二通路以上の入力又は出力回路を有する低内部抵抗接続構造。
【００６２】
本案の蓄放電装置の低内部抵抗接続構造を無極性蓄放電装置（例えばコンデンサ）に応用した場合、上記を正極板と負極板を無極性の第１電極板と第２電極板に取り代えたもの。
【００６３】
導電棒は、導電板上の導電貫通孔を貫通して導電板と結果して良好な導電状態を保つ、導電棒の形状は、円形、角形、三角形又は楕円形或いはその他幾何断面形状のソリッド又は中空間又は図１２９に示す様な軸方向に隙間のある非閉合の中空管構造の弾性管状導電棒で構成されたもの。
【００６４】
上記構造の導電棒の両端は、更に各々凸出キャップ又はネジ・ナット又は単方向に締付ワッシャ絶縁押え板等を設け、電極板を強力に締付けてその構造の安定性を良くするもの。
【００６５】
上記構造の導電棒は、同極性極板の導電貫通孔を貫通して並列合流するか、又は異極性極板の導電貫通孔の間を貫通して直列結合する。或いは同時に同極性と異極性電極の間を貫通して、並列接続又は直列接続するもの。
【００６６】
上記導電棒が中空管の場合、更に気体又は液体等の流体ポンプ及び冷却（又は加熱）用散熱器を設け、管状導電棒内部に気体又は液体を流して、冷却又は加熱の温度調節機能を有するもの。
【００６７】
導電棒が並列接続構造の場合、通過する流体が絶縁流体であれば、各同電位電極上の管状導電棒が直接直列流路又は並列流路構造であるもの。
導電棒を並列接続又は直列機能として応用する場合、各異電位の導電棒間は、絶縁導管を直列又は並列して、冷却又は加熱する温調用絶縁性気体又は液体を流通させるもの。
【００６８】
導電棒と通過する電極板の隔離貫通孔の間に図１３０に示す絶縁リング状又は管状絶縁物を挿入して、絶縁を確保すると共に、電極板間の構造の安定性を増進するもの。
【００６９】
導電棒とその通過する電極板の隔離切欠間に絶縁ブロックを設けて、絶縁性を確保すると共に、電極板間の構造の安定を増進するもの。
【００７０】
導電棒とその通過する電極板の隔離空間に安定ブロックを設けて、絶縁性を確保すると共に、電極板組立間の構造の安定性を増進するもの。
【００７１】
個別電極板の両側又は両側以上に各々外伸の二個又は二個以上の合流端子を設けて、同極性電極板間の多回路並列結合又は異極性電極板間の直列結合に供し、蓄電装置の同一電極板が電流を入／出力する時に、２通路又は２通路以上の電流回路で蓄電装置の入出力時の内部抵抗を低減させるもの。
【００７２】
隔離体は、分層して異極性極板間の隔離片又は隔離膜（又は隔離シート）を設けるもので、スリーブ構造のものは、正負極板又はその中のある一極性の電極に挿入して隔離するもの。
【００７３】
外殻は蓄放電装置の容器を構成して電極板を保護し、絶縁材料又は非絶縁材料で構成される。非絶縁材料で構成される場合、外殻の内側と内部電極間に絶縁物を別に加設するもの。
【００７４】
以上述べた本項の蓄放電装置の低内部抵抗接続構造は嶄新な設計で、円形、角形又はその他幾何形状の導電材料で構成されたソリッド又は中空管形導電棒で蓄放電装置の電極板の導電貫通孔を貫通して、同極性極板を並列結合、又は異極性極板を直列結合、或いは並直列混合結合を行う、或いは個別極板の両側又は両側以上に各々外伸の二個又は二個以上の合流端子構造で、同極性電極板間の多回路並列結合又は異極性電極板間の多回路直列連結に由って蓄電装置の内部抵抗を低下させるもので、本項に関連する蓄電装置の接続構造は全く新しい創造で、実際蓄放電装置電極板の接続構造の改良と全体構造強度の向上は非常に明らかであることが本設計の進歩性を示している。
【符号の説明】
【００７５】
Ｂ１０１、Ｂ１０２、Ｂ１０３、Ｂ１０４、Ｂ１０５、Ｂ１０６、Ｂ１０７、Ｂ１０８  正極導電棒、Ｂ２０１、Ｂ２０２、Ｂ２０３、Ｂ２０４、Ｂ２０５、Ｂ２０６、Ｂ２０７、Ｂ２０８  負極導電棒、Ｃ１０１、Ｃ１０２、Ｃ１０３、Ｃ１０４、Ｃ１０５、Ｃ１０６、Ｃ１０７、Ｃ１０８、Ｃ２０１、Ｃ２０２、Ｃ２０３、Ｃ２０４、Ｃ２０５、Ｃ２０６、Ｃ２０７、Ｃ２０８  導電貫通孔、Ｉ１０１  隔離体、Ｐ１０１  正極性電極板、Ｐ２０１  負極性電極板、Ｓ１０１、Ｓ１０２、Ｓ１０３、Ｓ１０４、Ｓ１０５、Ｓ１０６、Ｓ１０７、Ｓ１０８、Ｓ２０１、Ｓ２０２、Ｓ２０３、Ｓ２０４、Ｓ２０５、Ｓ２０６、Ｓ２０７、Ｓ２０８  隔離切欠又は空隙、Ｓ１１１、Ｓ１１２、Ｓ１１３、Ｓ１１４、Ｓ１１５、Ｓ１１６、Ｓ１１７、Ｓ１１８、Ｓ２１１、Ｓ２１２、Ｓ２１３、Ｓ２１４、Ｓ２１５、Ｓ２１６、Ｓ２１７、Ｓ２１８  隔離貫通孔、Ｔ１０１、Ｔ１０２、Ｔ１０３、Ｔ１０４、Ｔ２０１、Ｔ２０２、Ｔ２０３、Ｔ２０４  合流端子、ＳＰ１０１  軸方向隙間（スリット）中空間、ＩＲ１０１  リング状絶縁物。
【図２】
2010267977.tif 000003
【図３】
2010267977.tif 000004
【図４】
2010267977.tif 000005
【図５】
2010267977.tif 000006
【図６】
2010267977.tif 000007
【図７】
2010267977.tif 000008
【図８】
2010267977.tif 000009
【図９】
2010267977.tif 000010
【図１０】
2010267977.tif 000011
【図１１】
2010267977.tif 000012
【図１２】
2010267977.tif 000013
【図１３】
2010267977.tif 000014
【図１４】
2010267977.tif 000015
【図１５】
2010267977.tif 000016
【図１６】
2010267977.tif 000017
【図１７】
2010267977.tif 000018
【図１８】
2010267977.tif 000019
【図１９】
2010267977.tif 000020
【図２０】
2010267977.tif 000021
【図２１】
2010267977.tif 000022
【図２２】
2010267977.tif 000023
【図２３】
2010267977.tif 000024
【図２４】
2010267977.tif 000025
【図２５】
2010267977.tif 000026
【図２６】
2010267977.tif 000027
【図２７】
2010267977.tif 000028
【図２８】
2010267977.tif 000029
【図２９】
2010267977.tif 000030
【図３０】
2010267977.tif 000031
【図３１】
2010267977.tif 000032
【図３２】
2010267977.tif 000033
【図３３】
2010267977.tif 000034
【図３４】
2010267977.tif 000035
【図３５】
2010267977.tif 000036
【図３６】
2010267977.tif 000037
【図３７】
2010267977.tif 000038
【図３８】
2010267977.tif 000039
【図３９】
2010267977.tif 000040
【図４０】
2010267977.tif 000041
【図４１】
2010267977.tif 000042
【図４２】
2010267977.tif 000043
【図４３】
2010267977.tif 000044
【図４４】
2010267977.tif 000045
【図４５】
2010267977.tif 000046
【図４６】
2010267977.tif 000047
【図４７】
2010267977.tif 000048
【図４８】
2010267977.tif 000049
【図４９】
2010267977.tif 000050
【図５０】
2010267977.tif 000051
【図５１】
2010267977.tif 000052
【図５２】
2010267977.tif 000053
【図５３】
2010267977.tif 000054
【図５４】
2010267977.tif 000055
【図５５】
2010267977.tif 000056
【図５６】
2010267977.tif 000057
【図５７】
2010267977.tif 000058
【図５８】
2010267977.tif 000059
【図５９】
2010267977.tif 000060
【図６０】
2010267977.tif 000061
【図６１】
2010267977.tif 000062
【図６２】
2010267977.tif 000063
【図６３】
2010267977.tif 000064
【図６４】
2010267977.tif 000065
【図６５】
2010267977.tif 000066
【図６６】
2010267977.tif 000067
【図６７】
2010267977.tif 000068
【図６８】
2010267977.tif 000069
【図６９】
2010267977.tif 000070
【図７０】
2010267977.tif 000071
【図７１】
2010267977.tif 000072
【図７２】
2010267977.tif 000073
【図７３】
2010267977.tif 000074
【図７４】
2010267977.tif 000075
【図７５】
2010267977.tif 000076
【図７６】
2010267977.tif 000077
【図７７】
2010267977.tif 000078
【図７８】
2010267977.tif 000079
【図７９】
2010267977.tif 000080
【図８０】
2010267977.tif 000081
【図８１】
2010267977.tif 000082
【図８２】
2010267977.tif 000083
【図８３】
2010267977.tif 000084
【図８４】
2010267977.tif 000085
【図８５】
2010267977.tif 000086
【図８６】
2010267977.tif 000087
【図８７】
2010267977.tif 000088
【図８８】
2010267977.tif 000089
【図８９】
2010267977.tif 000090
【図９０】
2010267977.tif 000091
【図９１】
2010267977.tif 000092
【図９２】
2010267977.tif 000093
【図９３】
2010267977.tif 000094
【図９４】
2010267977.tif 000095
【図９５】
2010267977.tif 000096
【図９６】
2010267977.tif 000097
【図９７】
2010267977.tif 000098
【図９８】
2010267977.tif 000099
【図９９】
2010267977.tif 000100
【図１００】
2010267977.tif 000101
【図１０１】
2010267977.tif 000102
【図１０２】
2010267977.tif 000103
【図１０３】
2010267977.tif 000104
【図１０４】
2010267977.tif 000105
【図１０５】
2010267977.tif 000106
【図１０６】
2010267977.tif 000107
【図１０７】
2010267977.tif 000108
【図１０８】
2010267977.tif 000109
【図１０９】
2010267977.tif 000110
【図１１０】
2010267977.tif 000111
【図１１１】
2010267977.tif 000112
【図１１２】
2010267977.tif 000113
【図１１３】
2010267977.tif 000114
【図１１４】
2010267977.tif 000115
【図１１５】
2010267977.tif 000116
【図１１６】
2010267977.tif 000117
【図１１７】
2010267977.tif 000118
【図１１８】
2010267977.tif 000119
【図１１９】
2010267977.tif 000120
【図１２０】
2010267977.tif 000121
【図１２１】
2010267977.tif 000122
【図１２２】
2010267977.tif 000123
【図１２３】
2010267977.tif 000124
【図１２４】
2010267977.tif 000125
【図１２５】
2010267977.tif 000126
【図１２６】
2010267977.tif 000127
【図１２７】
2010267977.tif 000128
【図１２８】
2010267977.tif 000129
【図１２９】
2010267977.tif 000130
【図１３０】
2010267977.tif 000131
【図１】
2010267977.tif 000132